(57)【要約】【課題】電子部品の冷却効率が高く、電子部品を十分に冷却することができる電気掃除機を提供する。【解決手段】モータカバー３と仕切り板４とで構成される主排気通路６には、回路基板５とこれに取り付けられた放熱板とが面している。回路基板５は電子部品を搭載している。回路基板５および放熱板の下流で主排気通路６から分岐した第１分岐排気通路７には電源コード１０が面している。【選択図】図２
2006167335.tif 000002
【特許請求の範囲】
【請求項１】
ケーシングと、
上記ケーシング内に配置され、吸引ファンとこの吸引ファンを駆動するモータとを有する電動送風機と、
上記電動送風機に通じる主排気通路と、
上記主排気通路に面する回路基板と、
上記回路基板に搭載された電子部品と、
上記主排気通路に面すると共に、上記回路基板に取り付けられたヒートシンクと、
上記回路基板および上記ヒートシンクの下流で上記主排気通路から分岐した第１分岐排気通路と、
上記第１分岐排気通路に面する電源コードと
を備えたことを特徴とする電気掃除機。
【請求項２】
請求項１に記載の電気掃除機において、
上記回路基板および上記ヒートシンクの下流で上記主排気通路から分岐した第２分岐排気通路を備え、この第２分岐排気通路にイオン発生装置が配置されていることを特徴とする電気掃除機。
【請求項３】
請求項１に記載の電気掃除機において、
上記回路基板の上記主排気通路に面する側の表面をシートで覆っていることを特徴とする電気掃除機。
【請求項４】
請求項１に記載の電気掃除機において、
上記回路基板の上記主排気通路に面する側の表面に上記電子部品が搭載されていることを特徴とする電気掃除機。
【請求項５】
請求項１に記載の電気掃除機において、
上記回路基板および複数の上記電子部品は、上記モータの周面に面し、
比較的背が高い上記電子部品は上記回路基板の両側部に配置され、且つ、比較的背が低い上記電子部品は上記回路基板の中央部に配置されていることを特徴とする電気掃除機。
【請求項６】
請求項２に記載の電気掃除機において、
上記第１分岐排気通路の第１排気口は、上記第２分岐排気通路の第２排気口の近傍に設けられていると共に、上記第２排気口と略同じ方向を向いていることを特徴とする電気掃除機。
【発明の詳細な説明】
【技術分野】
【０００１】
本発明は電気掃除機に関する。
【背景技術】
【０００２】
従来、電気掃除機としては、特許文献１（特開平１１―３１８７７１号公報）に開示されたものがある。この電気掃除機の掃除機本体１０１には、図１０に示すように、集塵室１５０と、この集塵室１５０に連通する電動送風機室１０６と、この電動送風機室１０６に連通するコード収納室１０７とが設けられている。また、図１０では図示されていないが、掃除機本体１０１の後面には排気口が設けられている。
【０００３】
上記集塵室１５０には、掃除機本体１０１の前面に設けられた吸引口１１から吸い込んだ空気中のごみを取り除く紙パックフィルタ１５１が配置される。この紙パックフィルタ１５１内の空間は、掃除機本体１０１の前面に設けられた吸引口１１と連通している。
【０００４】
上記電動送風機室１０６には、紙パックフィルタ１５１を通過した空気を吸引する電動送風機１０２が配置されている。この電動送風機１０２は、遠心ファン１１７と、この遠心ファン１１７を駆動するモータ部１１８とを有している。このモータ部１１８の側部には開口１１８ａが設けられている。
【０００５】
上記コード収納室１０７には、電源コード１１０を巻き付けたコードリールが回転自在に配置されている。上記電源コード１１０はコード出入り口１２５に挿通されていて、このコード出入り口１２５によってコード収納室１０７と室内の空間とが連通している。また、上記電源コード１１０の先端には電源プラグ１２７を設けている。
【０００６】
また、上記コード収納室１０７には、複数の電子部品１３１，１３２を搭載した回路基板１０５が配置されている。上記複数の電子部品１３１，１３２は、電動送風機１０２を駆動制御するための制御回路の一部を構成している。
【０００７】
上記構成の電動送風機１０２によれば、紙パックフィルタ１５１で清浄化された空気は、遠心ファン１１７に吸い込まれた後、モータ部１１８内を流れて排出口から開口１１８ａから電動送風機室１０６内に排出される。そして、上記開口１１８ａから電動送風機室１０６内に排出された空気は、コード収納室１０７内に流入して、電源コード１１０および電子部品１３１，１３２の周囲を流れて、コード出入り口１２５から室内に排出される。したがって、上記電動送風機１０２から排出された空気によって電源コード１１０および電子部品１３１，１３２を冷却することができる。
【０００８】
しかしながら、上記従来の電気掃除機では、上記排気口から電動送風機室１０６内に排出された空気の大部分は掃除機本体１０１の後面の排気口から室内に出てしまうため、上記空気の一部だけが、電源コード１１０、電子部品１３１，１３２および回路基板１０５を冷却している。すなわち、上記開口１１８ａから電動送風機室１０６内に排出された空気のうち、電源コード１１０、電子部品１３１，１３２および回路基板１０５を冷却するのは一部である。したがって、上記電源コード１１０、電子部品１３１，１３２および回路基板１０５の冷却効率が悪く、電源コード１１０、電子部品１３１，１３２および回路基板１０５を十分に冷却することができないという問題がある。
【特許文献１】特開平１１―３１８７７１号公報（図１（ａ））
【発明の開示】
【発明が解決しようとする課題】
【０００９】
そこで、本発明の課題は、電子部品の冷却効率が高く、電子部品を十分に冷却することができる電気掃除機を提供することにある。
【課題を解決するための手段】
【００１０】
上記課題を解決するため、本発明の電気掃除機は、
ケーシングと、
上記ケーシング内に配置され、吸引ファンとこの吸引ファンを駆動するモータとを有する電動送風機と、
上記電動送風機に通じる主排気通路と、
上記主排気通路に面する回路基板と、
上記回路基板に搭載された電子部品と、
上記主排気通路に面すると共に、上記回路基板に取り付けられたヒートシンクと、
上記回路基板および上記ヒートシンクの下流で上記主排気通路から分岐した第１分岐排気通路と、
上記第１分岐排気通路に面する電源コードと
を備えたことを特徴としている。
【００１１】
上記構成の電気掃除機によれば、上記電動送風機に通じる主排気通路に回路基板およびヒートシンクが面するので、主排気通路を流れる分岐前の空気で回路基板および電子部品を冷却することができる。したがって、上記電子部品の冷却効率が高まり、電子部品を十分に冷却することができる。
【００１２】
また、上記電源コードが第１分岐排気通路に面するので、第１排気通路を流れる空気で電源コードを冷却できる。
【００１３】
一実施形態の電気掃除機では、上記回路基板および上記ヒートシンクの下流で上記主排気通路から分岐した第２分岐排気通路を備え、この第２分岐排気通路にイオン発生装置が配置されている。
【００１４】
上記実施形態の電気掃除機によれば、上記主排気通路から分岐した第２分岐排気通路にイオン発生装置を配置しているので、イオン発生装置のイオンを第２排気通路の空気に付加して室内に放出することができる。したがって、室内空気中の浮遊細菌や有害物質等をイオンで破壊でき、室内空気を清浄化することができる。
【００１５】
一実施形態の電気掃除機では、上記回路基板の上記主排気通路に面する側の表面をシートで覆っている。
【００１６】
上記実施形態の電気掃除機によれば、上記回路基板の上記主排気通路に面する側の表面をシートで覆っているから、例えば導電性のごみが回路基板に付着するのをシートで阻止できる。したがって、上記導電性のごみによる電子部品の短絡を防止できる。
【００１７】
一実施形態の電気掃除機では、上記回路基板の上記主排気通路に面する側の表面に上記電子部品が搭載されている。
【００１８】
上記実施形態の電気掃除機によれば、上記回路基板の上記主排気通路に面する側の表面に電子部品が搭載されているから、主排気通路に流れる空気と回路基板，電子部品との接触面積が増え、電子部品の冷却効率をさらに高めることができる。
【００１９】
一実施形態の電気掃除機では、
上記回路基板および複数の上記電子部品は、上記モータの周面に面し、
比較的背が高い上記電子部品は上記回路基板の両側部に配置され、且つ、比較的背が低い上記電子部品は上記回路基板の中央部に配置されている。
【００２０】
上記実施形態の電気掃除機によれば、比較的背が高い上記電子部品は回路基板の両側部に配置され、且つ、比較的背が低い上記電子部品は上記回路基板の中央部に配置されているから、モータの周面と回路基板との間における無駄な空間を減らすことができる。つまり、上記モータの周面と回路基板との間における空間の利用率を高めることできる。
【００２１】
一実施形態の電気掃除機では、上記第１分岐排気通路の第１排気口は、上記第２分岐排気通路の第２排気口の近傍に設けられていると共に、上記第２排気口と略同じ方向を向いている。
【００２２】
上記実施形態の電気掃除機によれば、上記第１分岐排気通路の第１排気口は、上記第２分岐排気通路の第２排気口の近傍に設けられていると共に、その第２排気口と略同じ方向を向いているから、第１排気口から室内へ出る空気と、第２排気口から室内へ出る空気との相乗効果によって、第２排気口から室内へ出る空気が含むイオンの拡散範囲を広げることができる。つまり、上記第２排気口から室内へ出る空気中のイオンを掃除機本体から遠く離れた場所に到達させることができる。
【発明の効果】
【００２３】
本発明の電気掃除機は、上記電動送風機に通じる主排気通路に回路基板およびヒートシンクが面することによって、主排気通路を流れる分岐前の空気で回路基板および電子部品が冷却されるから、電子部品の冷却効率が高まり、電子部品を十分に冷却することができる。
【００２４】
また、上記主排気通路から分岐した第１分岐排気通路に電源コードが面するので、第１排気通路を流れる空気で電源コードを冷却できる。
【発明を実施するための最良の形態】
【００２５】
以下、本発明の電気掃除機を図示の実施の形態により詳細に説明する。
【００２６】
図１に、本発明の一実施の形態の電気掃除機における運転状態での掃除機本体１の模式横断面図を示す。また、図２に、上記運転状態での掃除機本体１の模式縦断面図を示す。
【００２７】
上記電気掃除機は、図１，図２に示すように、吸引口１１を有する掃除機本体１を備えている。また、図示しないが、上記電気掃除機は、ごみを吸い込むごみ吸込口と、このごみ吸込口と吸引口１１との間に一連に連結される延長管、手元側パイプ、ホースおよび本体側パイプとを備えている。
【００２８】
上記掃除機本体１は、図１，図２に示すように、サイクロン集塵機１２と、このサイクロン集塵機１２を介した空気を吸い込む電動送風機２と、この電動送風機２へ電源を供給する電源コード１０と有している。
【００２９】
上記サイクロン集塵機１２は、掃除機本体１に着脱可能に設けられたダストカップ２０と、このダストカップ２０内に配置された排気筒２１と、この排気筒２１に連結された排気管２２とを有している。上記排気筒２１の周面には複数の開口部（図示せず）が形成されている。これらの開口部はメッシュ状のフィルタ（図示せず）で被覆されている。これにより、上記ダストカップ２０から排気筒２１へ向かう空気に含まれる細かい塵埃を除去できる。
【００３０】
上記電動送風機２は、吸引ファンの一例としての遠心ファン１７と、遠心ファン１７を駆動するモータ１８と、遠心ファン１７を覆うファンカバー１９とから成っている。また、上記電動送風機２はモータカバー３で覆われている。このモータカバー３の前面部（サイクロン集塵機１２側の部分）には、ＨＥＰＡ（High Efficiency Particulate Air）フィルタ１４、メッシュフィルタ１５を通過した空気を絞るための絞り部１６が設けられている。上記ＨＥＰＡフィルタ１４はサイクロン集塵機１２で除去できなかった僅かな微細塵を捕塵することができる。また、上記モータカバー３内には、電動送風機２の他に、回路基板５が配置されている。そして、上記モータカバー３内には、遠心ファン１７から排出された空気の全部が流れる主排気通路６が設けられている。この主排気通路６は、第１連通穴２３を介して第１分岐排気通路７に連通していると共に、第２連通穴２４を介して第２分岐排気通路８に連通している。つまり、上記主排気通路６は、回路基板５の下流で第１，第２分岐排気通路７，８に分岐している。
【００３１】
上記第１分岐排気通路７には、電源コード１０を巻き付けるコードリール９が回転自在に配置されている。上記電源コード１０の先端には電源プラグ２７が設けられている。また、上記コードリール９と電動送風機２との間は、第１連通穴２３を有する仕切り板４で仕切られている。上記第１連通穴２３から第１分岐排気通路７に流入した空気は、図３に示すように、掃除機本体１の後面に設けられた第１排気口２５から室内へ排出される。なお、上記仕切り板４とモータカバー３とがケーシングの一例を構成している。
【００３２】
上記第２分岐排気通路８には、図１に示すように、イオン発生装置１３が配置されている。このイオン発生装置１３は、室内へ排出される空気に混合するイオンを発生する。より詳しくは、上記イオン発生装置１３は、例えば、誘電体を誘導電極と放電電極とで挟持してなるものであり、これら両電極間に電圧を印加して、放電電極近傍にてコロナ放電を発生させることにより、放電電極近傍から正負両イオンを発生させる。この正負両イオンは、図３に示すように、掃除機本体１の後面に設けられた第２排気口２６から室内へ排出される。このように、上記第２排気口２６はイオン風出口としての役割を果たす。また、上記正負両イオンが空気中の浮遊細菌または有害物質の表面に付着すると、化学反応を起こして、活性種である過酸化水素（Ｈ２Ｏ２）または水酸基ラジカル（ＯＨ）がそれぞれ生成される。これら活性種の分解作用により、空気中の浮遊細菌または有害物質が破壊されることとなる。また、これらの正負両イオンには、脱臭作用があることも確認できている。
【００３３】
上記第１分岐排気通路７の第１排気口２５は、上記第２分岐排気通路８の第２排気口２６の近傍に設けられていると共に、上記第２分岐排気通路８の第２排気口２６と略同じ方向を向いている。
【００３４】
図４に、上記電動送風機２、回路基板５および仕切り板４の後部を斜め上方から見た概略図を示す。また、図５に、上記電動送風機２、回路基板５および仕切り板４の前部を斜め上方から見た概略図を示す。
【００３５】
上記回路基板５は、図４，図５に示すように、電動送風機２を制御するための複数の電子部品３１〜３４を搭載している。上記電子部品３１〜３４はモータ１８の周面に面している。また、電子部品３１〜３４のうち、比較的背が高い電子部品３１，３２，３３は回路基板５の両側部に配置され、且つ、比較的背が低い電子部品３４は回路基板５の中央部に配置されている。また、上記回路基板５には、ヒートシンクの一例としての放熱板３７が取り付けられている。この放熱板は電子部品３１〜３４の熱を空気中に逃がす役割を果たす。なお、図１，図２では電子部品３１〜３４および放熱板３７の図示を省略している。また、図４，図５では図示を省略したが、回路基板５の両面は、図６〜図９に示すように、不燃性のシート２８で覆われている。つまり、上記シート２８は、回路基板５の実装面および非実装面を覆っている。
【００３６】
なお、図６〜図９では、シート２８の第１連通穴２３側の端部は見易くするため開放しているように図示しているが、実際には上記端部は閉じている。また、上記シート２８の第１連通穴２３側の端部は図６〜図９で示しているように実際に開放させてもよい。また、上記シート２８の第１連通穴２３側の端部は図６〜図９で示しているように実際に開放させ、上記端部をメッシュで覆ってもよい。
【００３７】
上記構成の電気掃除機によれば、上記モータ１８が遠心ファン１７を駆動すると、掃除機本体１内では図１，図２の矢印で示すように空気が流れる。より詳しくは、上記遠心ファン１７の駆動により吸引された空気は吸引口１１を通ってサイクロン集塵機１２のダストカップ２０内に流入する。このダストカップ２０内において、吸引口１１からの空気を高速旋回させて、その空気から塵埃を遠心分離する。上記塵埃はダストカップ２０内に集積する一方、上記塵埃が除去された空気は、排気筒２１を介してダストカップ２０外に出て排気管２２を流れる。そして、上記排気管２２を流れた空気は、ＨＥＰＡフィルタ１４、メッシュフィルタ１５を順次通過した後、絞り部１６で絞られて電動送風機２内に入る。この電動送風機２から排出された空気の大部分は主排気通路６を流れ、放熱板３７、電子部品３１〜３４および回路基板５を冷却した後、第１，第２分岐排気通路７，８に分かれる。上記第１分岐排気通路７に入った空気は電源コード１０を冷却した後、第１排気口２５から室内へ排気される。一方、上記第２分岐排気通路８に入った空気は、イオン発生装置１３による正負両イオンが付加された後、第２排気口２６から室内へ排気される。
【００３８】
このように、上記電動送風機２から排出された空気の大部分が主排気通路６を流れて放熱板３７、電子部品３１〜３４および回路基板５を冷却するので、電子部品３１〜３４の冷却効率が非常に高くなり、電子部品３１〜３４を極めて十分に冷却することができる。
【００３９】
また、上記電源コード１０が第１分岐排気通路７に面するように配置されているから、第１分岐排気通路７を流れる空気で電源コード１０を冷却できる。
【００４０】
また、上記イオン発生装置１３が第２分岐排気通路８の空気に正負両イオンを付加するから、正負両イオンを含む空気が第２排気口２６から室内に排気され、室内空気中の浮遊細菌や有害物質等を正負両イオンで破壊できる。したがって、上記室内空気を清浄化することができる。
【００４１】
また、上記シート２８が回路基板５の両面を覆っているから、導電性のごみが回路基板５に付着するのをシート２８で阻止できる。したがって、上記導電性のごみによる電子部品３１〜３４の短絡を確実に防止できる。
【００４２】
また、上述したように、比較的背が高い電子部品３１，３２，３３を回路基板５の両側部に配置し、且つ、比較的背が低い電子部品３４を回路基板５の中央部に配置しているから、モータ１８の周面と回路基板５との間における空間を減らすことができる。すなわち、上記モータ１８の周面と回路基板５との間における空間の利用率を高めることできる。
【００４３】
また、上記第１分岐排気通路７の第１排気口２５は、上記第２分岐排気通路８の第２排気口２６の近傍に設けられていると共に、その第２排気口２６と略同じ方向を向いているから、第１排気口２５から室内へ出る空気と、第２排気口２６から室内へ出る空気との相乗効果によって、第２排気口２６から室内へ出る空気が含むイオンの拡散範囲を広げることができる。つまり、上記第２排気口２６から室内へ出る空気中のイオンを掃除機本体１から遠く離れた場所に到達させることができる。
【００４４】
上記実施の形態では、電動送風機２から排出された空気が流れる主排気通路６を設け、この主排気通路６に回路基板５および放熱板３７が面するようにしていたが、電動送風機２へ向かう空気が流れる主排気通路を設け、この主排気通路に回路基板５および放熱板３７が面するようにしてもよい。
【図面の簡単な説明】
【００４５】
【図１】図１は本発明の一実施の形態の電気掃除機における運転状態での掃除機本体の模式横断面図である。
【図２】図２は上記運転状態での掃除機本体の模式縦断面図である。
【図３】図３は上記掃除機本体の模式後面図である。
【図４】図４は上記電気掃除機の電動送風機、回路基板および仕切り板の概略斜視図である。
【図５】図５は上記電気掃除機の電動送風機、回路基板および仕切り板の他の概略斜視図である。
【図６】図６は上記電気掃除機の電動送風機、回路基板および仕切り板の概略斜視図である。
【図７】図７は上記電気掃除機の電動送風機、回路基板および仕切り板の他の概略斜視図である。
【図８】図８は上記回路基板の概略斜視図である。
【図９】図９は上記回路基板の他の概略斜視図である。
【図１０】図１０は従来の電気掃除機における運転状態での掃除機本体の概略横断面図である。
【符号の説明】
【００４６】
１  掃除機本体
２  電動送風機
３  モータカバー
４  仕切り板
５  回路基板
６  主排気通路
７  第１分岐排気通路
８  第２分岐排気通路
９  コードリール
１０  電源コード
１７  遠心ファン
１８  モータ
２８  シート
３１〜３４  電子部品
３７  放熱板
【図１】
2006167335.tif 000003
【図２】
2006167335.tif 000004
【図３】
2006167335.tif 000005
【図４】
2006167335.tif 000006
【図５】
2006167335.tif 000007
【図６】
2006167335.tif 000008
【図７】
2006167335.tif 000009
【図８】
2006167335.tif 000010
【図９】
2006167335.tif 000011
【図１０】
2006167335.tif 000012